(57)【要約】【課題】作業性および意匠性の両面において向上された改修ドア枠を提供する。【解決手段】既設ドア枠と、既設ドア枠に固定される連結部材６、７と、連結部材を介して既設ドア枠に取り付けられる改修ドア枠４，５と、からなり、連結部材、改修ドア枠のいずれか一方には嵌合溝部、他方には該嵌合溝部に嵌合する嵌入部が形成されており、改修ドア枠４を連結部材６，７に嵌合してなる。【選択図】図３Ｂ
2007315043.tif 000002
【特許請求の範囲】
【請求項１】
既設ドア枠と、
既設ドア枠に固定される連結部材と、
連結部材を介して既設ドア枠に取り付けられる改修ドア枠と、からなり、
連結部材、改修ドア枠のいずれか一方には嵌合溝部、他方には該嵌合溝部に嵌合する嵌入部が形成されており、改修ドア枠を該連結部材に嵌合してなる改修ドア枠の取付構造。
【請求項２】
前記連結部材は、ドア枠の見込み方向に延出する片を有し、当該片の室外側端部に嵌合溝部あるいは嵌入部が形成されており、
前記改修ドア枠には、前記嵌合溝部あるいは前記嵌入部に嵌合する嵌入部あるいは嵌合溝部が形成されている、請求項１に記載の改修ドア枠の取付構造。
【請求項３】
前記改修ドア枠は、室外側見付け面と、当該見付け面から見込み方向に延出する内側見込み面と外側見込み面とを有し、
該内側見込み面が開口部を形成すると共に、該外側見込み面の端部に嵌入部あるいは嵌合溝部が形成されている、請求項２に記載の改修ドア枠の取付構造。
【請求項４】
前記改修ドア枠は、室外側から既設ドア枠に取り付けられる外部側枠と、室内側から既設ドア枠に取り付けられる内部側枠と、からなり、外部側枠は連結部材に嵌合されており、内部側枠は、外部側枠あるいは既設ドア枠に対して、嵌合手段あるいは接着手段を用いて取り付けられる、請求項１乃至４いずれかに記載の改修ドア枠の取付構造。
【請求項５】
前記嵌合溝部はくびれ部を有しており、くびれ部の溝幅は嵌合溝部の溝奥よりも幅狭となっており、
前記嵌入部は、くびれ部の溝幅よりも幅広の寸法を有していると共に、先端に向かって漸次幅広となることで傾斜部が形成されており、
嵌合状態において、前記嵌合溝部のくびれ部が前記嵌入部の傾斜部に当接している、
請求項１乃至４いずれかに記載の改修ドア枠の取付構造。
【発明の詳細な説明】
【技術分野】
【０００１】
本発明は、既存のドア枠を改修してなる改修ドア枠の構造に関するものである。
【背景技術】
【０００２】
既存のドア装置の改修方法として、いわゆるかぶせ工法が採用される。かぶせ工法とは、既存のドア枠の内外にアングル材を取り付け、その上から螺子を用いて改修枠を取り付ける工法である。また、特許文献１にも、螺子を用いた類似のドア取付け構造が開示されている。
【０００３】
しかしながら、かぶせ工法や特許文献１に記載された方法のように、改修枠の取り付けを螺子を用いて行うと、取り付け作業が煩雑となり、かつ、作業性が悪いものとなっていた。また、既設ドア枠の改修後に、改修枠の取り付けに用いた螺子の頭部が露出してしまい、改修ドア装置の外観を損ねてしまうという不具合があった。
【特許文献１】特開平１０−２６６７０９号
【発明の開示】
【発明が解決しようとする課題】
【０００４】
本発明は、作業性および意匠性の両面において向上された改修ドア枠を提供することを目的とするものである。
【課題を解決するための手段】
【０００５】
かかる課題を達成するために本発明が採用した技術手段は、既設ドア枠と、既設ドア枠に固定される連結部材と、連結部材を介して既設ドア枠に取り付けられる改修ドア枠と、からなり、連結部材、改修ドア枠のいずれか一方には嵌合溝部、他方には該嵌合溝部に嵌合する嵌入部が形成されており、改修ドア枠を該連結部材に嵌合してなる改修ドア枠の取付構造、である。一つの態様では、連結部材は螺子を用いて既設ドア枠に固定されており、当該螺子を覆い隠すように改修ドア枠が連結部材に対して嵌合される。
【０００６】
一つの好ましい態様では、前記連結部材は、ドア枠の見込み方向に延出する片を有し、当該片の室外側端部に嵌合溝部あるいは嵌入部が形成されており、前記改修ドア枠には、前記嵌合溝部あるいは前記嵌入部に嵌合する嵌入部あるいは嵌合溝部が形成されている。
【０００７】
一つの好ましい態様では、前記改修ドア枠は、室外側見付け面と、当該見付け面から見込み方向に延出する内側見込み面と外側見込み面とを有し、該内側見込み面が開口部を形成すると共に、該外側見込み面の端部に嵌入部あるいは嵌合溝部が形成されている。
【０００８】
一つの好ましい態様では、前記改修ドア枠は、室外側から既設ドア枠に取り付けられる外部側枠と、室内側から既設ドア枠に取り付けられる内部側枠と、からなり、外部側枠は連結部材に嵌合されており、内部側枠は、外部側枠あるいは既設ドア枠に対して、嵌合手段（上述のように嵌合溝部と嵌入部を用いる）あるいは接着手段（両面テープ、接着剤が例示）を用いて取り付けられる。
【０００９】
一つの好ましい態様では、嵌合溝部はくびれ部を有しており、くびれ部の溝幅は嵌合溝部の溝奥よりも幅狭となっており、くびれ部の溝入口側にはガイド片が形成されている。嵌入部は、くびれ部の溝幅よりも幅広の寸法を有しており、嵌合溝部と嵌入部とを見込み方向から嵌合させる時には、嵌入部が嵌合溝部のガイド片に案内されながら、くびれ部を押し広げながら溝奥に嵌入して嵌合状態となる。一つの態様では、嵌合溝部が形成された片と、嵌入部が形成された片とは、共に見込み方向に延出していると共に、嵌合状態において、両片は密着当接している。一つの態様では、嵌入部の幅寸法は、先端に向かって漸次幅広となっており、こうすることで、嵌合を容易にすると共に、嵌合状態が外れ難くなる。
【００１０】
扉体の開閉によって、嵌合状態が外れる方向の力が改修ドア枠に作用するおそれがある。したがって、嵌合状態が外れることがないような手段をさらに設けることが望ましい。一つの手段では、改修ドア枠の戸尻側の側枠には螺子によって丁番が取り付けられており、当該螺子によって戸尻側の側枠及び連結部材（好適には螺子を用いて既設ドア枠に強固に固定されている）が一体化されている。他の手段では、連結部材の見込み片の室外側端部には、見付け方向に延出する規制片が形成されており、改修ドア枠には、連結部材と改修ドア枠との嵌合状態において、前記規制片の室内側に近接する位置に当接部が設けてあり、当接部が規制片に当接することで、改修ドア枠の室外側への移動を規制して嵌合状態が外れることがないようになっている。戸先側の当接部としては、ストライク受け、戸尻側の当接部としては丁番を固定するための螺子が、それぞれ例示される。
【発明の効果】
【００１１】
本発明では、既設ドア枠に固定された連結部材に対して改修ドア枠を嵌合することで、改修ドア枠を構成するものであり、螺子を用いた従来の手法にくらべて作業性が良く、また、螺子が外部の目に付くところに露出することがないので美観も良好である。連結部材は、螺子を用いて既設ドア枠に固定され得るが、かかる螺子は、改修ドア枠を連結部材に嵌合することで、改修ドア枠によって覆い隠すことができるので、当該螺子が外部に露出することがない。
【発明を実施するための最良の形態】
【００１２】
本発明に係る改修枠は、既設のドア枠に対して取り付けられる。既設ドア枠は、上枠１、下枠２、左右の縦枠３，３から構成されている。上枠１は、室外側に面する面１０と、室内側に面する面１１と、下面１２と、を有しており、下面１２は室外側下面１２ａと室内側下面１２ｂとから段部状（室内側下面１２ｂが室外側下面１２ａに対して下方に位置している）に形成されている。下枠２は、室外側に面する面２０と、室内側に面する面２１と、上面２２と、を有しており、上面２２は室外側上面２２ａと室内側上面２２ｂとから段部状（室内側上面２２ｂが室外側上面２２ａに対して上方に位置している）に形成されている。左右の縦枠３，３は、室外側に面する面３０と、室内側に面する面３１と、側面３２と、を有しており、側面３２は室外側の側面３２ａと室内側の側面３２ｂとから段部状（室内側の側面３２ｂは室外側の側面３２ａに対して開口部内方に位置している）に形成されている。
【００１３】
改修枠は、室外側から既設ドア枠に取り付けられる外部側枠４と、室内側から既設ドア枠に取り付けられる内部側枠５と、の２つの枠からなる。外部側枠４は、上枠４０、下枠４１、左右の縦枠４２，４２から構成される方形状の四方枠である。内部側枠５は、上枠５０、左右の縦枠５１，５１から構成される三方枠である。図示の態様では、外部側枠４が主枠として改修後のドア枠を実質的に構成し、外部側枠４に扉体Ｄが装着される。内部側枠５は、改修後のドア枠の室内側部位を構成するいわば化粧枠である。
【実施例１】
【００１４】
［外部側枠の構成］
図３Ａに示すように、外部側枠４の上枠４０は、室外側の見付け面４００と、室外側の見付け面４００の上端より室内側に向かって見込み方向に延出する上面（外側見込み面）４０１と、室外側の見付け面４００の下端より室内側に向かって見込み方向に延出する下面（内側見込み面）４０２と、を有し、下面４０２は室外側の下面４０２ａと室内側の下面４０２ｂとから段部状（室内側の下面４０２ｂが室外側の下面４０２ａに対して下方に位置している）に形成されている。上面４０１の端部には、上枠４０を形成する板材の一方（室外側）の端部を折り曲げることで、室内側に向って開口する嵌合溝部４０１Ａが折曲形成されている。より具体的には、上面４０１の室内側部位（上枠４０を形成する板材の一方の端部）を上面４０１に密着するように下側に折り返し、折り返した部分の室外側部位をさらに下側に折り返すことで、室内側に向って開口する嵌合溝部４０１Ａが折曲形成されている。下面４０２の室内側端部には、上枠４０を形成する板材の他方（室内側）の端部を折り曲げることで、室内側に向って開口する嵌合溝部４０２Ａが折曲形成されている。より具体的には、下面４０２の室内側部位（上枠４０を形成する板材の他方の端部）を上面４０２に密着するように上側に折り返し、折り返した部分の室外側部位をさらに上側に折り返すことで、室内側に向って開口する嵌合溝部４０２Ａが折曲形成されている。
【００１５】
外部側枠４の下枠４１は、室外側の見付け面４１０と、室外側の見付け面４１０の上端より室内側に向かって見込み方向に延出する上面４１１と、を有し、上面４１１は室外側の下面４１１ａと室内側の下面４１１ｂとから段部状（室内側の下面４１１ｂが室外側の下面４１１ａに対して上方に位置している）に形成されている。
【００１６】
図３Ｂに示すように、外部側枠４の左右の側枠４２，４２は、室外側の見付け面４２０と、室外側の見付け面４２０の開口部から遠い側の端部より室内側に向かって見込み方向に延出する第１側面（外側見込み面）４２１と、室外側の見付け面の開口部に近い側の端部より室内側に向かって見込み方向に延出する第２側面（内側見込み面）４２２と、を有し、第２側面４２２は、室外側の側面４２２ａと室内側の側面４２２ｂとから段部状（室内側の側面４２２ｂが室外側の側面４２２ａに対して開口部内方に位置している）に形成されている。第１側面４２１には、室内側に向って開口する嵌合溝部４２１Ａが、側枠４２を形成する板材の一方（室外側）の端部を折り曲げることで折曲形成されている。より具体的には、第１側面４２１の室内側部位（側枠４２を形成する板材の一方の端部）を第１側面４２１に密着するように内方に折り返し、折り返した部分の室外側部位をさらに内方に折り返すことで、室内側に向って開口する嵌合溝部４２１Ａが折曲形成されている。第２側面４２２の室内側端部には、室内側に向って開口する嵌合溝部４２２Ａが、側枠４２を形成する板材の他方（室内側）の端部を折り曲げることで折曲形成されている。より具体的には、第２側面４２２の室内側部位（側枠４２を形成する板材の一方の端部）を第２側面４２２に密着するように外方（開口部から遠ざかる側）に折り返し、折り返した部分の室外側部位をさらに外方に折り返すことで、室内側に向って開口する嵌合溝部４２２Ａが折曲形成されている。
【００１７】
上枠４０の下面４０２、下枠４１の上面４１１、左右の側枠４２の第２側面４２２によって開口部が形成され、いずれか一方の側枠４２が戸先側の側枠、他方の側枠４２が戸尻側の側枠を構成し、扉体Ｄを戸尻側の側枠４２に取り付けた丁番Ｈに対して吊り込むことで改修ドア装置を構成し、扉体Ｄの回動によって開口部を開閉する。
【００１８】
［内部側枠の構成］
図３Ａに示すように、内部側枠５の上枠５０は、室内側の見付け面５００と、室内側の見付け面５００の下端より室外側に向かって見込み方向に延出する下面５０１と、から断面視L形状に形成されている。下面５０１の室外側端部には、嵌入部５０１Ｂが、上枠５０を形成する板材の室外側端部を、先端が下面５０１に当接するように上側に折り曲げることで折曲形成されている。
【００１９】
図３Ｂに示すように、内部側枠５の左右の側枠５１，５１は、室内側の見付け面５１０と、室内側の見付け面５１０の開口部に近い側の端部より室外側に向かって見込み方向に延出する側面５１１と、から断面視L形状に形成されている。側面５１１の室外側端部には、嵌入部５１１Ｂが、側枠５１を形成する板材の室外側端部を、先端が側面５１１に当接するように外方（開口部から遠ざかる側）に折り曲げることで折曲形成されている。
【００２０】
［連結部材の構成］
外部側枠４は、連結部材６を介して、既設ドア枠に取り付けられる。連結部材６は、既設ドア枠の各枠の長さ方向に延出する長尺部材でも、あるいは、既設ドア枠の各枠の長さ方向に間隔を存して取り付けた複数の短尺部材であってもよい。
【００２１】
図３Ａの上側の連結部材６、図３Ｂの戸先側の連結部材６は、断面視において、室外側に向かって見込み方向に延出する第１見込み片６０と、室内側に向かって見込み方向に延出する第２見込み片６１と、第１見込み片６０と第２見込み片６１の基端同士を見付け方向に連結する見付け片６２とを備えている。第１見込み片６０の室外側端部には、連結部材６を形成する板材の室外側端部を、見付け片６２側に折り曲げることで、嵌入部６０Ｂが折曲形成されている。
【００２２】
図３Ａに示すように、既設ドア枠の上枠１に取り付けられる連結部材６は、第２見込み片６１を、上枠１の室外側下面１２ａ、見付け片６２を上枠１の室外側の面１０にそれぞれ当接させて、第２見込み片６１と上枠１の室外側下面１２ａとを螺子Sで固定してなる。
【００２３】
図３Ｂに示すように、既設ドア枠の戸先側の側枠３に取り付けられる連結部材６は、第１見込み片６１を、側枠の室外側の側面３２ａ、見付け片６２を側枠の室外側の面３０にそれぞれ当接させて、第１見込み片６１と側枠の室外側の側面３２ａとを螺子Sで固定してなる。
【００２４】
図３Ｂに示すように、戸尻側の連結部材７は、断面視において、開口部に近い側において室外側に向って見込み方向に延出する第１見込み片７０と、開口部から遠い側において室外側に向って見込み方向に延出する第２見込み片７１と、第１見込み片７０、第２見込み片７１の基端同士を見付け方向に連結する見付け片７２とを備えている。連結部材７は、見付け片７２を戸尻側の側枠３の室外側に面する面３０に当接させて螺子Sで固定される。第２見込み片７１の室外側端部には、連結部材７を形成する板材の一方の端部を、見付け片７２側に折り曲げることで、嵌入部７１Ｂが折曲形成されている。
【００２５】
［既設ドア枠に対する改修枠の取り付け］
図３Ａに示すように、既設ドア枠の上枠１に固定された連結部材６の室外側の端部に形成された嵌入部６０Ｂに対して外部側枠４の上枠４０の上面４０１の室内側の端部に形成された嵌合溝部４０１Ａを室外側から室内側に向かって嵌合させることで、既設ドア枠の上枠１に対して外部側枠４の上枠４０が取り付けられる。
【００２６】
図３Ｂに示すように、既設ドア枠の側枠３に固定された連結部材６、７の室外側の端部に形成された嵌入部６０Ｂ，７１Ｂに対して外部側枠４の第１側面４２１の室内側の端部に形成された嵌合溝部４２１Ａを室外側から室内側に向かって嵌合させることで、既設ドア枠の側枠３に対して外部側枠４の側枠４２が取り付けられる。
【００２７】
外部側枠４の下枠４１は、連結部材６´´を介して既設ドア枠の下枠２に取り付けられるが、下枠側においては、美観上の要求が相対的に低いので、上枠４０及び側枠４２を連結部材６，７に嵌合させた後で、従来手法と同様に螺子を用いて取り付けてもよい。また、上述の上枠４０、側枠４２と同様に、嵌合手段を用いて下枠４１を連結部材６´´に取り付けても良い。
【００２８】
実施例１では、室内側に向かって見込み方向に開口する嵌合溝部４０１Ａ，４２１Ａを、室外側に向かって見込み方向に延出する嵌入部６０Ｂ，７１Ｂに見込み方向に室外側から室内側に向かって嵌合させるものであるため、四方枠である外部側枠４を、既設ドア枠に固定された連結部材６，７に対して正面から取り付けることができるので、作業性が良好である。
【００２９】
連結部材６を既設ドア枠の上枠１に取り付けた螺子Sは、外部側枠の上枠４０の下面４０２によって覆い隠されるので、螺子Ｓの頭部が外部に露出することがなく美観上良好である。連結部材６を既設ドア枠の側枠３に取り付けた螺子Sは、戸先側においては、外部側枠４の側枠４２の室外側の見付け面４２０及び第２側面４２２、戸尻側においては、室外側の見付け面４２０及び第１側面４２１、によって覆い隠されるので、螺子Sの頭部が外部に露出することがなく美観上良好である。
【００３０】
既設ドア枠に取り付けられた外部側枠４に対して、内部側枠５が取り付けられる。図３Ａに示すように、外部側枠４の上枠４０の下面４０２の室内側端部に形成された嵌合溝部４０２Ａに対して、内部側枠５の上枠５０の下面５０１に形成された嵌入部５０１Ｂを見込み方向から押し込んで嵌合させる。図３Ｂに示すように、外部側枠４の側枠４２の第２側面４２２の室内側端部に形成された嵌合溝部４２２Ａに対して、内部側枠５の側枠５１の側面５１１に形成された嵌入部５１１Ｂを見込み方向から押し込んで嵌合させる。
【００３１】
既設のドア枠と改修枠との継目にコーキング処理Ｃを施し、戸尻側の側枠４２に丁番Ｈを取り付けて、扉体Ｄを吊り込むことで改修ドア装置が構成される。連結部材７の第１見込み片７０は、第２側面４２２の室外側の側面４２２ａに密着当接されており、丁番Ｈを第１見込み片７０に取り付ける螺子Sは、第１見込み片７０、室外側の側面４２２ａを貫通している。したがって、外部側枠４の側枠４２を連結部材７に嵌合させた後で、側枠４２と連結部材７とが螺子Sで一体化されるため、扉体Ｄの回動に伴って、外部側枠４に嵌合状態から外れるような力が作用したとしても、外部側枠４は、嵌合手段とは別に、螺子Sによって連結部材７に固定されているので、嵌合状態が外れてしまうようなことが無い。
【００３２】
図７に示すように、内部側枠５の室内側の面５００を、VHBテープ等の両面テープＴを用いて、既設ドア枠の上枠１、側枠３の室内側の面１１，３１に直接取り付けても良い。この場合、外部側枠４の上枠４０の下面４０２の室内側端部、側枠４２の第２側面４２２の室内側端部は、嵌合溝部を形成することなく単に重なり合うように折り返し折曲してなり、当該折曲部が内部側枠５の上枠５０の下面５０１、側枠５１の側面５１１に密着当接することで、改修ドア枠の室内側に隙間が形成されることを防止している。
【実施例２】
【００３３】
図４に他の実施例を示す。基本的な構成は、図３Ａ、図３Ｂに示す実施例１と同様であり、同一の構成要素には同一の参照符号が付してあり、これらの説明については実施例１の説明を援用することができるので、詳細な説明は省略する。
【００３４】
実施例２は、連結部材６´の構成に特徴を有する。連結部材６´は、図３Ａ、３Ｂの連結部材６に類似しており、断面視において、室外側に向かって見込み方向に延出する第１見込み片６０と、室内側に向かって見込み方向に延出する第２見込み片６１と、第１見込み片６０と第２見込み片６１の基端同士を見付け方向に連結する見付け片６２とを備えている。第１見込み片６０の室外側端部には、嵌入部６０Ｂが折曲形成されている。連結部材６´の第１見込み片６０の室外側端部には、さらに、第１見込み片６０に直交して見付け方向に延出する規制片６３が折曲形成されている。第１見込み片６０の室外側端部は、規制片６３が形成される部位において嵌入部６０Ｂから分離されており、分離された部位が嵌入部６０Ｂを形成せずに、規制片６３を形成している。また、嵌合溝部４２１Ａは、規制片６３に対応する部位が切り欠かれている。
【００３５】
戸先側の連結部材６´の規制片６３は、第２側面４２２の室外側の側面４２２ａに形成したストライク受けＲの高さ位置に対応して、かつ、ストライク受けＲの室外側に近接して位置するように設けられる。戸尻側の連結部材６´の規制片６３は、丁番Ｈを固定する螺子Sの高さ位置に対応して、かつ、少なくとも一つの螺子Sの室外側に近接して位置するように設けられる。こうすることで、扉体Ｄの開閉時に、外部側枠４に対して、嵌合状態が外れる方向に力が作用した場合であっても、戸先側においては、ストライク受けＲが連結部材６´の見付け片６３に当接し、戸尻側においては、螺子Sが連結部材６´の見付け片６３に当接することで、外部側枠４が連結部材６´から外れて室外側へ移動することが規制される。丁番Ｈを固定する螺子Sやストライク受けRは、改修枠（外部側枠４、内部側枠５）を既設ドア枠に取り付けた後に設けられるので、外部側枠４と連結部材６´との嵌合に支障を来たすことがない。また、実施例２の構成を、実施例１、あるいは、次に述べる実施例３に適用してもよい。
【実施例３】
【００３６】
図５Ａ、図５Ｂに他の実施例を示す。基本的な構成は、図３Ａ、図３Ｂに示す実施例１と同様であり、同一の構成要素には同一の参照符号が付してあり、これらの説明については実施例１の説明を援用することができるので、詳細な説明は省略する。
【００３７】
実施例３は、外部側枠４と連結部材６との嵌合の構成に特徴を有する。実施例１では、外部側枠４に嵌合溝部が、連結部材６に嵌入部が、それぞれ形成されているのに対して、実施例３では、外部側枠４に嵌入部が、連結部材６に嵌合溝部が、それぞれ形成されている。外部側枠４の上枠４０の上面４０１には、上枠４０を形成する板材の一方（室外側）の端部を折り曲げることで、室内側に向って見込み方向に延出する嵌入部４０１Ｂが折曲形成されている。より具体的には、上面４０１の室内側部位（上枠４０を形成する板材の一方の端部）を先端が上面４０１に当接するように下側に折り返して嵌入部４０１Ｂが折曲形成されている。外部側枠の側枠４２の第１側面４２１には、側枠４２を形成する一方（室外側）の端部を折り曲げることで、室内側に向って見込み方向に延出する嵌入部４２１Ｂが折曲形成されている。より具体的には、第１側面４２１の室内側部位（側枠４２を形成する板材の一方の端部）を先端が第１側面４２１に当接するように内方（開口部側）に折り返して嵌入部４０１Ｂが折曲形成されている。連結部材６の第１見込み片６０の室外側端部には、連結部材６を形成する板材の室外側の端部を折り曲げることで、室外側に向かって開口する嵌合溝部６０Ａが折曲形成されている。より具体的には、第１見込み片６０の室外側端部を、第１見込み片６０に密着するように内方に折り返し、折り返した部分の室内側部位をさらに内方に折り返すことで、室外側に向って開口する嵌合溝部６０Ａが折曲形成されている。外部側枠４の嵌入部４０１Ｂ、４２１Ｂと、連結部材６の嵌合溝部６０Ａを見込み方向に嵌合させることで、既設ドア枠に対して外部側枠４を取り付ける。連結部材６の構成については、実施例１の連結部材７、実施例２の連結部材６´の構成を採用することもできる。
【００３８】
［嵌合部の構成］
図６に基づいて嵌合部の構成を詳細に説明する。改修枠（外部側枠４、内部側枠５）、連結部材６、６´、７は、板材を折曲することで折曲形成されており、嵌合部を構成する嵌合溝部Ａ、嵌入部Ｂは、板材の端部において折曲形成されている。以下に述べる嵌合部の構成は、既述の全ての嵌合溝部、嵌入部に共通して適用される。
【００３９】
嵌合溝部Ａが形成された片８００は、見込み方向に延出しており、片８００の先端側に嵌合溝部Ａが形成されている。より具体的には、嵌合溝部Ａは、片８００と、片８００の先端側部位に膨出状に一体形成された湾曲部８０１と、湾曲部８０１の端部から片８００に向かって傾斜状に延出する第１傾斜部８０２と、第１傾斜部８０２の端部より片８００から離隔するように傾斜状に延出する第２傾斜部８０３と、から構成されている。第１傾斜部８０２と第２傾斜部８０３とから溝幅を絞るくびれ部８０４が形成されており、くびれ部８０４と片８００との溝幅Ｗ１は、湾曲部８０１内の溝幅よりも幅狭となっている。また、溝幅はくびれ部８０４から第２傾斜部８０３の先端に向かって漸次拡開しており、第２傾斜部８０３は嵌入部Ｂを案内するガイドとして機能する。
【００４０】
嵌入部Ｂが形成された片９００は、見込み方向に延出しており、片９００の先端側部位を折り返すように折曲することで、片９００の先端側に嵌入部Ｂが形成されている。より具体的には、嵌入部Ｂを形成する先端側部位は、片９００の端部に膨出状に一体形成された湾曲部９０１と、湾曲部９０１の端部から片９００に向かって傾斜状に延出する傾斜部９０２と、を有し、傾斜部９０２の先端は折曲片９００に接触している。嵌入部Ｂの幅寸法は、片９００の先端側に向かって漸次大きくなっている。湾曲部９０１の幅寸法Ｗ２は、嵌合溝部の溝幅Ｗ１よりも大きく、かつ、嵌合溝部Ａの湾曲部８０１内の溝幅よりも小さい寸法となっている。
【００４１】
片９００の嵌入部Ｂを、片８００の嵌合溝部Ａに対して、見込み方向に押し込んで嵌入させると、嵌入部Ｂの先端の湾曲部９０１が嵌合溝部の第２傾斜部８０３に案内されながら、湾曲部９０１、傾斜部９０２が溝幅Ｗ１を押し広げながら嵌合溝部Ａ内に侵入していき、湾曲部９０１の外周面が湾曲部８０１の内周面に当接して嵌合状態となる。この状態において、片８００と片９００が密着当接していると共に、くびれ部８０４と当接している部位における嵌入部Ｂの幅寸法Ｗ３は、溝幅Ｗ１よりも若干大きい寸法を有しており、嵌入部Ｂと嵌合溝部Ａとの嵌合状態において、溝幅Ｗ１を若干押し広げた状態となっており、嵌入部Ｂと嵌合溝部Ａとは弾性的に嵌合している。
【００４２】
嵌合状態において、嵌合溝部Ａのくびれ部８０４が嵌入部Ｂの傾斜部９０２に当接しており、嵌入部Ｂの幅寸法は、片９００の先端に向かって漸次大きくなっているので、嵌合溝部Ａに対して嵌入部Ｂが外れる方向に移動しようとした場合には、傾斜部９０２が抵抗となって嵌合状態が外れることを規制する。このように、嵌合溝部Ａ、嵌入部Ｂを採用することで、外部側枠４と連結部材６、６´、７とを簡単かつ強度に連結することができる。
【産業上の利用可能性】
【００４３】
本発明は、既設のドア装置の改修に利用することが可能である。
【図面の簡単な説明】
【００４４】
【図１】左図はドア装置を室外側から見た正面図、右図はドア装置を室内側から見た正面図である。
【図２】改修枠を構成する外部側枠、内部側枠の斜視図である。
【図３Ａ】第１の実施例に係る改修ドア装置の縦断面図である。
【図３Ｂ】第１の実施例に係る改修ドア装置の横断面図である。
【図４】第２の実施例に係る改修ドア装置の横断面図である。
【図５Ａ】第３の実施例に係る改修ドア装置の縦断面図である。
【図５Ｂ】第３の実施例に係る改修ドア装置の横断面図である。
【図６】内部側枠の取り付けの他の態様を示す図である。
【図７】嵌合溝部と嵌入部の嵌合を説明する図である。
【符号の説明】
【００４５】
１  既設ドア枠の上枠
２  既設ドア枠の下枠
３  既設ドア枠の側枠
４  改修ドア枠の外部側枠
５  改修ドア枠の内部側枠
６  連結部材
６´  連結部材
７  連結部材
４０１  上面（外側見込み面）
４０１Ａ  嵌合溝部
４０２Ａ  嵌合溝部
６０      第１見込み片
６０Ｂ    嵌入部
５０１Ｂ  嵌入部
４２１    第１側面（外側見込み面）
４２１Ａ  嵌合溝部
４２２Ａ  嵌合溝部
７１      第２見込み片
７１Ｂ    嵌入部
５１１Ｂ  嵌入部
４２１Ｂ  嵌入部
６０Ａ    嵌合溝部
【図１】
2007315043.tif 000003
【図２】
2007315043.tif 000004
【図３Ａ】
2007315043.tif 000005
【図３Ｂ】
2007315043.tif 000006
【図４】
2007315043.tif 000007
【図５Ａ】
2007315043.tif 000008
【図５Ｂ】
2007315043.tif 000009
【図６】
2007315043.tif 000010
【図７】
2007315043.tif 000011